(57)【要約】【課題】著作権保護技術に対応していないリムーバブル記録メディアに著作権保護が必要なコンテンツを記録すること及び当該リムーバブル記録メディアに記録されている著作権保護が必要なコンテンツを再生することが可能なコンテンツ記録再生機器を提供する。【解決手段】アクセスしたリムーバブル記録メディア（７）が所定の著作権保護技術に対応しているものであるか否かを判定する判定部（２）と、前記判定部によって否と判定された場合、著作権保護が必要なコンテンツを前記アクセスしたリムーバブル記録メディアに記録するときには、前記アクセスしたリムーバブル記録メディアと自機器との組み合わせを示すペアリング情報と関連付けて、ローカル暗号を用いて前記著作権保護が必要なコンテンツを前記アクセスしたリムーバブル記録メディアに記録する記録部（２）とを備えるコンテンツ記録再生機器。【選択図】図１
2011076663.tif 000002
【特許請求の範囲】
【請求項１】
アクセスしたリムーバブル記録メディアが所定の著作権保護技術に対応しているものであるか否かを判定する判定部と、
前記判定部によって前記アクセスしたリムーバブル記録メディアが所定の著作権保護技術に対応しているものでないと判定された場合、著作権保護が必要なコンテンツを前記アクセスしたリムーバブル記録メディアに記録するときには、前記アクセスしたリムーバブル記録メディアと自機器との組み合わせを示すペアリング情報と関連付けて、ローカル暗号を用いて前記著作権保護が必要なコンテンツを前記アクセスしたリムーバブル記録メディアに記録する記録部とを備えることを特徴とするコンテンツ記録再生機器。
【請求項２】
前記アクセスしたリムーバブル記録メディアに記録されている著作権保護が必要なコンテンツを再生するときには、前記アクセスしたリムーバブル記録メディアと自機器との組み合わせを示すペアリング情報を生成し、その生成したペアリング情報と再生対象のコンテンツと関連付けられて前記アクセスしたリムーバブル記録メディアに記録されているペアリング情報とが一致すれば、前記ローカル暗号の復号化を行って前記アクセスしたリムーバブル記録メディアに記録されている著作権保護が必要なコンテンツを再生する再生部を備える請求項１に記載のコンテンツ記録再生機器。
【請求項３】
前記ローカル暗号化のための鍵情報及び前記ローカル暗号を復号化するための鍵情報が、自機器の機器固有情報を用いて生成される請求項２に記載のコンテンツ記録再生機器。
【請求項４】
前記記録部が、前記アクセスしたリムーバブル記録メディアに記録されるペアリング情報を一つしか許容しておらず、前記アクセスしたリムーバブル記録メディアに記録される前記著作権保護が必要なコンテンツ全てにおいて関連付けられるペアリング情報が共通である請求項１〜３のいずれか１項に記載のコンテンツ記録再生機器。
【請求項５】
前記アクセスしたリムーバブル記録メディアに記録されるペアリング情報の書き換えが前記記録部によって可能である請求項４に記載のコンテンツ記録再生機器。
【請求項６】
前記記録部が、前記アクセスしたリムーバブル記録メディアに記録されるペアリング情報を複数許容している請求項１〜３のいずれか１項に記載のコンテンツ記録再生機器。
【発明の詳細な説明】
【技術分野】
【０００１】
本発明は、リムーバブル記録メディアへのコンテンツの記録およびリムーバブル記録メディアに記録されているコンテンツの再生が可能なコンテンツ記録再生機器に関する。
【背景技術】
【０００２】
従来のコンテンツ記録再生機器について、ここでは、大容量リムーバブル記録メディアの一つであるｉＶＤＲ（Information Versatile Disk for Removable usage：登録商標）へのコンテンツの記録およびｉＶＤＲに記録されているコンテンツの再生が可能な従来のｉＶＤＲ記録再生機器を例に挙げて説明する。
【０００３】
従来のｉＶＤＲ記録再生機器の構成例を図７に示す。図７に示す従来のｉＶＤＲ記録再生機器は、チューナ１と、ＳｏＣ（System-on-a-chip）部２’と、音声出力部３と、映像出力部４と、ＳＡＴＡ（Serial Advanced Technology Attachment）部５と、ｉＶＤＲスロット６とを備えている。
【０００４】
チューナ１は、地上デジタルチューナであって、ＳｏＣ部２’からのチャンネル選択信号によって物理チャンネルを選択する。チューナ１は、このチャンネル選択プロセスによって、受信アンテナ（不図示）から供給される高周波デジタル変調信号を特定周波数の信号に変換する。また、チューナ１は、チャンネル選択されたデジタル変調信号を復調してＭＰＥＧ２−ＴＳ（Moving Picture Experts Group Phase 2-Transport Stream）を生成し、その生成したＭＰＥＧ２−ＴＳをＳｏＣ部２’に出力する。
【０００５】
ＳｏＣ部２’は、ＣＰＵ（Central Processing Unit）機能、チューナ１から入力されたＭＰＥＧ２−ＴＳを分離（Demux）する機能、ＭＰＥＧ２−ＴＳをパーシャルトランスポートストリームに変換する機能、分離（Demux）した各オーディオストリームおよびビデオストリームをデコードして出力する機能などを有している。ＳｏＣ部２’によってデコードされた音声や映像は音声出力部３や映像出力部４から出力される。
【０００６】
ＳＡＴＡ部５は、ＳＡＴＡコントローラを有しており、当該ＳＡＴＡコントローラの制御によりＳｏＣ部２’からｉＶＤＲ７へのアクセスが可能となる。なお、ｉＶＤＲ７はｉＶＤＲスロット６に着脱自在に装着される。
【０００７】
次に、図７に示す従来のｉＶＤＲ記録再生機器の録画動作について図８に示すフローチャートを参照して説明する。ユーザがｉＶＤＲスロット６にｉＶＤＲ７を挿入すると、図７に示す従来のｉＶＤＲ記録再生機器は図８に示すフローチャートの動作を開始し、ＳｏＣ部２’がＳＡＴＡ部５を介してｉＶＤＲ７にアクセスしてｉＶＤＲ認識動作をする（ステップＳ１０）。このｉＶＤＲ認識動作には、ｉＶＤＲ７を利用可能にするための動作、ｉＶＤＲスロット６に挿入されたｉＶＤＲ７がＳＡＦＩＡ対応であるか否かの確認動作、ｉＶＤＲスロット６に挿入されたｉＶＤＲ７がＳＡＦＩＡ対応であった場合の認証動作などが含まれる。
【０００８】
続いて、録画キーの操作や予約録画の設定などによって録画開始が指示されると、図７に示す従来のｉＶＤＲ記録再生機器は録画を開始する（ステップＳ２０）。録画時には、ＳｏＣ部２’は、チューナ１から入力されたＭＰＥＧ２−ＴＳをパーシャルトランスポートストリームに変換し、録画対象のコンテンツに対応するパーシャルトランスポートストリームをＳＡＴＡ部５を介してｉＶＤＲ７に記録する。
【０００９】
録画開始時に、ＳｏＣ部２’は、録画対象のコンテンツがコピーフリーであるか否かを判定する（ステップＳ３０）。録画対象のコンテンツがコピーフリーであれば（ステップＳ３０のＹＥＳ）、ＳｏＣ部２’は、録画対象のコンテンツに対応するパーシャルトランスポートストリームを暗号化せずにＳＡＴＡ部５を介してｉＶＤＲ７に記録し（ステップＳ４０）、図８に示すフローチャートの動作を終了する。一方、録画対象のコンテンツがコピーフリーでなければ（ステップＳ３０のＮＯ）、ＳｏＣ部２’は、ｉＶＤＲスロット６に挿入されたｉＶＤＲ７がＳＡＦＩＡ対応であるか否かを確認する（ステップＳ５０）。
【００１０】
ｉＶＤＲスロット６に挿入されたｉＶＤＲ７がＳＡＦＩＡ対応であれば（ステップＳ５０のＹＥＳ）、ＳｏＣ部２’は、録画対象のコンテンツに対応するパーシャルトランスポートストリームを、ＳＡＦＩＡを用いて暗号化してＳＡＴＡ部５を介してｉＶＤＲ７に記録し（ステップＳ６０）、図８に示すフローチャートの動作を終了する。一方、ｉＶＤＲスロット６に挿入されたｉＶＤＲ７がＳＡＦＩＡ対応でなければ（ステップＳ５０のＮＯ）、ＳｏＣ部２’は、録画対象のコンテンツに対応するパーシャルトランスポートストリームをｉＶＤＲ７に記録せずに（ステップＳ８０）、図８に示すフローチャートの動作を終了する。
【先行技術文献】
【特許文献】
【００１１】
【特許文献１】特開２００７−３３５０３５号公報
【発明の概要】
【発明が解決しようとする課題】
【００１２】
上述した録画動作の内容から明らかなように、図７に示す従来のｉＶＤＲ記録再生機器では、ＳＡＦＩＡに対応していないｉＶＤＲ７に対しては、著作権保護が必要なコンテンツを録画することができなかった。
【００１３】
なお、特許文献１で開示されている情報アクセス管理方法は、著作権付きフォントを用いたテキストおよび著作権付き画像を用いたメニュー画面を記録する際に、記録メディアがＡＡＣＳ（Advanced Access Content System）に対応してなければ、著作権付きフォントを用いたテキストおよび著作権付き画像のいずれも用いないメニュー画面を記録しているので、著作権保護技術に対応していない記録メディアには、著作権保護が必要なコンテンツを記録することができない。
【００１４】
本発明は、上記の状況に鑑み、著作権保護技術に対応していないリムーバブル記録メディアに著作権保護が必要なコンテンツを記録すること及び著作権保護技術に対応していないリムーバブル記録メディアに記録されている著作権保護が必要なコンテンツを再生することが可能なコンテンツ記録再生機器を提供することを目的とする。
【課題を解決するための手段】
【００１５】
上記目的を達成するために本発明に係るコンテンツ記録再生機器は、アクセスしたリムーバブル記録メディアが所定の著作権保護技術に対応しているものであるか否かを判定する判定部と、前記判定部によって前記アクセスしたリムーバブル記録メディアが所定の著作権保護技術に対応しているものでないと判定された場合、著作権保護が必要なコンテンツを前記アクセスしたリムーバブル記録メディアに記録するときには、前記アクセスしたリムーバブル記録メディアと自機器との組み合わせを示すペアリング情報と関連付けて、ローカル暗号を用いて前記著作権保護が必要なコンテンツを前記アクセスしたリムーバブル記録メディアに記録する記録部とを備える構成とする。
【００１６】
また、上記構成のコンテンツ記録再生機器において、前記アクセスしたリムーバブル記録メディアに記録されている著作権保護が必要なコンテンツを再生するときには、前記アクセスしたリムーバブル記録メディアと自機器との組み合わせを示すペアリング情報を生成し、その生成したペアリング情報と再生対象のコンテンツと関連付けられて前記アクセスしたリムーバブル記録メディアに記録されているペアリング情報とが一致すれば、前記ローカル暗号の復号化を行って前記アクセスしたリムーバブル記録メディアに記録されている著作権保護が必要なコンテンツを再生する再生部を備えるようにしてもよい。
【００１７】
また、上記いずれかの構成のコンテンツ記録再生機器において、前記ローカル暗号化のための鍵情報及び前記ローカル暗号を復号化するための鍵情報が、自機器の機器固有情報を用いて生成されるようにしてもよい。
【００１８】
また、上記いずれかの構成のコンテンツ記録再生機器において、前記記録部が、前記アクセスしたリムーバブル記録メディアに記録されるペアリング情報を一つしか許容しておらず、前記アクセスしたリムーバブル記録メディアに記録される前記著作権保護が必要なコンテンツ全てにおいて関連付けられるペアリング情報が共通であるようにしてもよく、前記記録部が、前記アクセスしたリムーバブル記録メディアに記録されるペアリング情報を複数許容するようにしてもよい。さらに、前者の場合、前記アクセスしたリムーバブル記録メディアに記録されるペアリング情報の書き換えが前記記録部によって可能であるようにしてもよい。
【発明の効果】
【００１９】
本発明に係るコンテンツ記録再生機器によると、所定の著作権保護技術に対応していないリムーバブル記録メディアに著作権保護が必要なコンテンツを記録する場合、ペアリングしてローカル暗号化して記録する。これにより、所定の著作権保護技術に対応していないリムーバブル記録メディアに記録された著作権保護が必要なコンテンツは、そのコンテンツの記録を行った機器でしか再生することができなくなる。つまり、所定の著作権保護技術に対応していないリムーバブル記録メディアは、見かけ上はリムーバブルな記憶媒体でも、著作権保護が必要なコンテンツについては内蔵式の記録媒体とみなすことができる。これにより、著作権保護が必要なコンテンツを他の機器で再生する必要がなければ、ユーザは所定の著作権保護技術に対応しているリムーバブル記録メディアよりも安価な所定の著作権保護技術に対応していないリムーバブル記録メディアを用いることができる。
【図面の簡単な説明】
【００２０】
【図１】本発明の一実施形態に係るｉＶＤＲ記録再生機器の構成を示す図である。
【図２】図１に示す本発明の一実施形態に係るｉＶＤＲ記録再生機器の録画動作を示すフローチャートである。
【図３】ペアリング動作を示すフローチャートである。
【図４】ペアリング動作の変形例を示すフローチャートである。
【図５】ローカル暗号化での録画動作を示すフローチャートである。
【図６】ローカル暗号化されているコンテンツの再生動作を示すフローチャートである。
【図７】従来のｉＶＤＲ記録再生機器の構成例を示す図である。
【図８】図７に示す従来のｉＶＤＲ記録再生機器の録画動作を示すフローチャートである。
【発明を実施するための形態】
【００２１】
本発明の実施形態について図面を参照して以下に説明する。本発明にコンテンツ記録再生機器について、ここでは、本発明の一実施形態に係るｉＶＤＲ記録再生機器を例に挙げて説明する。本発明の一実施形態に係るｉＶＤＲ記録再生機器では、大容量リムーバブル記録メディアの一つであるｉＶＤＲにコンテンツを記録すること及びｉＶＤＲに記録されているコンテンツを再生することが可能である。
【００２２】
本発明の一実施形態に係るｉＶＤＲ記録再生機器の構成を図１に示す。なお、図１において図７と同一の部分には同一の符号を付し詳細な説明を省略する。図１に示す本発明の一実施形態に係るｉＶＤＲ記録再生機器は、図７に示す従来のｉＶＤＲ記録再生機器からＳｏＣ部２’を除きその代わりにＳｏＣ部２を設けた構成である。ＳｏＣ部２は、ＳｏＣ部２’と同様に、ＣＰＵ機能、チューナ１から入力されたＭＰＥＧ２−ＴＳを分離（Demux）する機能、ＭＰＥＧ２−ＴＳをパーシャルトランスポートストリームに変換する機能、分離（Demux）した各オーディオストリームおよびビデオストリームをデコードして出力する機能などを有しているが、録画時および再生時の具体的な動作においてＳｏＣ部２’と異なる。
【００２３】
そこでまず、図１に示す本発明の一実施形態に係るｉＶＤＲ記録再生機器の録画動作について図２に示すフローチャートを参照して説明する。なお、図２において図８と同一のステップには同一の符号を付す。
【００２４】
ユーザがｉＶＤＲスロット６にｉＶＤＲ７を挿入すると、図１に示す本発明の一実施形態に係るｉＶＤＲ記録再生機器は図２に示すフローチャートの動作を開始し、ＳｏＣ部２がＳＡＴＡ部５を介してｉＶＤＲ７にアクセスしてｉＶＤＲ認識動作をする（ステップＳ１０）。このｉＶＤＲ認識動作には、ｉＶＤＲ７を利用可能にするための動作、ｉＶＤＲスロット６に挿入されたｉＶＤＲ７がＳＡＦＩＡ対応であるか否かの確認動作、ｉＶＤＲスロット６に挿入されたｉＶＤＲ７がＳＡＦＩＡ対応であった場合の認証動作などが含まれる。
【００２５】
続いて、録画キーの操作や予約録画の設定などによって録画開始が指示されると、図１に示す本発明の一実施形態に係るｉＶＤＲ記録再生機器は録画を開始する（ステップＳ２０）。録画時には、ＳｏＣ部２は、チューナ１から入力されたＭＰＥＧ２−ＴＳをパーシャルトランスポートストリームに変換し、録画対象のコンテンツに対応するパーシャルトランスポートストリームをＳＡＴＡ部５を介してｉＶＤＲ７に記録する。
【００２６】
録画開始時に、ＳｏＣ部２は、録画対象のコンテンツがコピーフリーであるか否かを判定する（ステップＳ３０）。録画対象のコンテンツがコピーフリーであれば（ステップＳ３０のＹＥＳ）、ＳｏＣ部２は、録画対象のコンテンツに対応するパーシャルトランスポートストリームを暗号化せずにＳＡＴＡ部５を介してｉＶＤＲ７に記録し（ステップＳ４０）、図２に示すフローチャートの動作を終了する。一方、録画対象のコンテンツがコピーフリーでなければ（ステップＳ３０のＮＯ）、ＳｏＣ部２は、ｉＶＤＲスロット６に挿入されたｉＶＤＲ７がＳＡＦＩＡ対応であるか否かを確認する（ステップＳ５０）。
【００２７】
ｉＶＤＲスロット６に挿入されたｉＶＤＲ７がＳＡＦＩＡ対応であれば（ステップＳ５０のＹＥＳ）、ＳｏＣ部２は、録画対象のコンテンツに対応するパーシャルトランスポートストリームを、ＳＡＦＩＡを用いて暗号化してＳＡＴＡ部５を介してｉＶＤＲ７に記録し（ステップＳ６０）、図２に示すフローチャートの動作を終了する。一方、ｉＶＤＲスロット６に挿入されたｉＶＤＲ７がＳＡＦＩＡ対応でなければ（ステップＳ５０のＮＯ）、ＳｏＣ部２は、ペアリング動作により録画可能であることが確認されると、録画対象のコンテンツに対応するパーシャルトランスポートストリームを、ローカル暗号を用いて暗号化してＳＡＴＡ部５を介してｉＶＤＲ７に記録し（ステップＳ７０）、図２に示すフローチャートの動作を終了する。
【００２８】
なお、図２に示すフローチャート動作では、コンテンツの録画を開始するたびに、ｉＶＤＲスロット６に挿入されたｉＶＤＲ７がＳＡＦＩＡ対応であるか否かを確認している（ステップＳ５０）が、ｉＶＤＲスロット６からｉＶＤＲ７が取り出されない限りこの確認結果が変わることはないため、録画対象のコンテンツがコピーフリーでなければ（ステップＳ３０のＮＯ）、ステップＳ１０でのｉＶＤＲ認識動作の結果を用いて、ステップＳ６０に移行するかステップＳ７０に移行するかを決定するようにしてもよい。
【００２９】
また、図２に示すフローチャート動作では、コンテンツの録画を開始するたびに、ステップＳ７０においてペアリング動作を行っているが、ｉＶＤＲスロット６からｉＶＤＲ７が取り出されない限りこのペアリング動作の結果が変わることはないため、ｉＶＤＲスロット６に挿入されたｉＶＤＲ７がＳＡＦＩＡ対応でなかった場合のペアリング動作をステップＳ１０のｉＶＤＲ認識動作に含め、ステップＳ７０において、ステップＳ１０でのｉＶＤＲ認識動作の結果（ペアリング動作の結果）を用いるようにしてもよい。
【００３０】
次に、ｉＶＤＲスロット６に挿入されたｉＶＤＲ７がＳＡＦＩＡ対応でなかった場合に実行されるペアリング動作について図３に示すフローチャートを参照して説明する。
【００３１】
ＳｏＣ部２は、図１に示す本発明の一実施形態に係るｉＶＤＲ記録再生機器の機器固有情報（例えば、ＭＡＣアドレスやシリアルナンバーなど）と、ｉＶＤＲスロット６に挿入されているｉＶＤＲ７の記録メディア固有情報（例えば、シリアルナンバーなど）とを用いて、ペアリング情報を生成する（Ｓ１１０）。次に、ＳｏＣ部２は、ｉＶＤＲスロット６に挿入されているｉＶＤＲ７にペアリング情報が既に記録されているか否かを確認する（ステップＳ１２０）。
【００３２】
ｉＶＤＲスロット６に挿入されているｉＶＤＲ７にペアリング情報が既に記録されていれば（ステップＳ１２０のＹＥＳ）、ＳｏＣ部２は、ｉＶＤＲ７に記録されているペアリング情報とステップＳ１１０において生成したペアリング情報とが一致するか否かを確認する（ステップＳ１３０）。ｉＶＤＲ７に記録されているペアリング情報とステップＳ１１０において生成したペアリング情報とが一致すれば（ステップＳ１３０のＹＥＳ）、ＳｏＣ部２は、ｉＶＤＲスロット６に挿入されているｉＶＤＲ７が既にペアリング済みのｉＶＤＲであると判断し、ローカル暗号での録画やローカル暗号で録画されているコンテンツの再生を可能として（ステップＳ１４０）、ペアリング動作を終了する。一方、ｉＶＤＲ７に記録されているペアリング情報とステップＳ１１０において生成したペアリング情報とが一致しなければ（ステップＳ１３０のＮＯ）、ＳｏＣ部２は、ｉＶＤＲスロット６に挿入されているｉＶＤＲ７が他の機器とペアリングされているｉＶＤＲであると判断し、ローカル暗号での録画やローカル暗号で録画されているコンテンツの再生を不可能として（ステップＳ１５０）、ペアリング動作を終了する。
【００３３】
また、ステップＳ１２０での確認の結果、ｉＶＤＲスロット６に挿入されているｉＶＤＲ７にペアリング情報が既に記録されていなければ（ステップＳ１２０のＮＯ）、ＳｏＣ部２は、ステップＳ１１０において生成したペアリング情報を、ｉＶＤＲスロット６に挿入されているｉＶＤＲ７にＳＡＴＡ部５を介して記録し（ステップＳ１６０）、ローカル暗号での録画やローカル暗号で録画されているコンテンツの再生を可能として（ステップＳ１７０）、ペアリング動作を終了する。
【００３４】
なお、図４に示すように、ｉＶＤＲ７に記録されているペアリング情報とステップＳ１１０において生成したペアリング情報とが一致しなければ（ステップＳ１３０のＮＯ）、図１に示す本発明の一実施形態に係るｉＶＤＲ記録再生機器で再度ペアリングをし直す旨のユーザ指示（ユーザによる所定のキー操作など）があるか否かを確認し（ステップＳ１４５）、当該ユーザ指示がなければステップＳ１５０に移行し、当該ユーザ指示があればステップＳ１６０に移行するようにしてもよい。
【００３５】
また、図３及び図４で示したペアリング動作では、関連付けられるペアリング情報がｉＶＤＲ内のコピーフリーでないコンテンツ全てにおいて共通であり、ｉＶＤＲ７に記録されているペアリング情報は一つとなっているが、関連付けられるペアリング情報がｉＶＤＲ内のコピーフリーでないコンテンツで共通でなくてもよい。関連付けられるペアリング情報がｉＶＤＲ内のコピーフリーでないコンテンツで共通でない場合、例えば、第１のｉＶＤＲ記録再生機器で第１のｉＶＤＲに記録される各コンテンツは第１のｉＶＤＲ記録再生機器で生成された第１のペアリング情報（第１のｉＶＤＲ記録再生機器と第１のｉＶＤＲとの組み合わせを示すペアリング情報）と関連付けられて記録され、第２のｉＶＤＲ記録再生機器で第１のｉＶＤＲに記録される各コンテンツは第２のｉＶＤＲ記録再生機器で生成された第２のペアリング情報（第２のｉＶＤＲ記録再生機器と第１のｉＶＤＲとの組み合わせを示すペアリング情報）と関連付けられて記録されるようにするとよい。
【００３６】
そして、ペアリングをコンテンツ単位で行う場合、例えば、図４に示すペアリング動作において、ステップＳ１３０を、ステップＳ１１０において生成したペアリング情報がｉＶＤＲ７に記録されているペアリング情報のうちの一つと一致するか否かを確認するステップに変更するとよい。或いは、図４のステップＳ１４５及びステップＳ１５０を廃止し、ステップＳ１１０において生成したペアリング情報がｉＶＤＲ７に記録されているペアリング情報のうちのどれとも一致しない場合には直ちにステップＳ１６０に移行するようにしてもよい。
【００３７】
また、ペアリングをｉＶＤＲ単位で行う場合において再ペアリングを行う際には、それ以前にｉＶＤＲ７に記録されていたコンテンツ及びペアリング情報を削除することが望ましく、ペアリングをコンテンツ単位で行う場合において再ペアリングを行う際には、それ以前にｉＶＤＲ７に記録されていたコンテンツ及びペアリング情報を削除しないことが望ましい。
【００３８】
次に、ローカル暗号化での録画動作について図５に示すフローチャートを参照して説明する。ＳｏＣ部２は、図１に示す本発明の一実施形態に係るｉＶＤＲ記録再生機器の機器固有情報と、ｉＶＤＲスロット６に挿入されているｉＶＤＲ７の記録メディア固有情報とを用いて、ローカル暗号化のための鍵情報を生成し（ステップＳ２１０）、この鍵を用いて、録画対象のコンテンツをローカル暗号化し（ステップＳ２２０）、ペアリング情報と関連付けてｉＶＤＲ７に記録する（ステップＳ２３０）。ローカル暗号化はある暗号強度以上のものであれば、ＡＥＳ（Advanced Encryption Standard）などの一般的なアルゴリズムでよい。録画対象のコンテンツの録画時間や録画データ量が所定値だけ増加するたびに鍵を更新して暗号化をするようにするとよい（ステップＳ２４０）。
【００３９】
最後に、ローカル暗号化されているコンテンツの再生動作について図６に示すフローチャートを参照して説明する。再生動作の前に、図４に示すペアリング動作によってローカル暗号での録画やローカル暗号で録画されているコンテンツの再生が可能な状態（図４のステップＳ１４０又はステップＳ１７０）になっている必要がある。
【００４０】
ローカル暗号化されているコンテンツの再生動作において、ＳｏＣ部２は、まず、再生対象のコンテンツに関連付けられているペアリング情報を取得する（ステップＳ３１０）。コンテンツの再生を開始するたびにペアリング動作を行ってもよいが、ｉＶＤＲスロット６からｉＶＤＲ７が取り出されない限りこのペアリング動作の結果が変わることはないため、ｉＶＤＲスロット６に挿入されたｉＶＤＲ７がＳＡＦＩＡ対応でなかった場合のペアリング動作を、ｉＶＤＲ７がｉＶＤＲスロット６に挿入されたときに実行されるｉＶＤＲ認識動作に含め、コンテンツの再生を開始する際にそのｉＶＤＲ認識動作の結果（ペアリング動作の結果）を用いるようにしてもよい。
【００４１】
ステップＳ３１０に続くステップＳ３２０において、ＳｏＣ部２は、再生対象のコンテンツに関連付けられてｉＶＤＲ７に記録されているペアリング情報とペアリング動作において生成したペアリング情報とが一致するか否かを確認する。
【００４２】
再生対象のコンテンツに関連付けられてｉＶＤＲ７に記録されているペアリング情報とペアリング動作において生成したペアリング情報とが一致しなければ（ステップＳ３２０のＮＯ）、再生対象のコンテンツは再生を行う図１に示す本発明の一実施形態に係るｉＶＤＲ記録再生機器とのペアリングができていないコンテンツであるため、再生不可となる（ステップＳ３６０）。
【００４３】
一方、再生対象のコンテンツに関連付けられてｉＶＤＲ７に記録されているペアリング情報とペアリング動作において生成したペアリング情報とが一致すれば（ステップＳ３２０のＹＥＳ）、ＳｏＣ部２は、図１に示す本発明の一実施形態に係るｉＶＤＲ記録再生機器の機器固有情報と、ｉＶＤＲスロット６に挿入されているｉＶＤＲ７の記録メディア固有情報とを用いて、ローカル暗号を復号化するための鍵情報を生成し（ステップＳ３３０）、この鍵を用いて、再生対象のコンテンツを復号化し（ステップＳ３４０）、再生した音声及び映像を音声出力部３及び映像出力部４から出力する。再生対象のコンテンツの再生時間や再生データ量が所定値だけ増加するたびに鍵を更新して復号化をするようにするとよい（ステップＳ３５０）。この鍵を用いて、コンテンツの復号化をする。時間やサイズに応じて、適宜、鍵を更新して復号化をする。ローカル暗号化が復号されたコンテンツは、ＳｏＣ部でデコードされ、音声信号及び映像信号が出力される。
【００４４】
以上のように、図１に示す本発明の一実施形態に係るｉＶＤＲ記録再生機器は、ＳＡＦＩＡ対応でないｉＶＤＲにコピーフリーでないコンテンツを記録する場合、ペアリングしてローカル暗号化して録画する。これにより、ＳＡＦＩＡ対応でないｉＶＤＲに記録されたコピーフリーでないコンテンツは、録画を行った機器でしか再生することができなくなる。つまり、ＳＡＦＩＡ対応でないｉＶＤＲは、見かけ上はリムーバブルな記憶媒体でも、コピーフリーでないコンテンツについては内蔵式の記録媒体とみなすことができる。これにより、コピーフリーでないコンテンツを他の機器で再生する必要がなければ、ユーザはＳＡＦＩＡ対応であるｉＶＤＲよりも安価なＳＡＦＩＡ対応でないｉＶＤＲを用いることができる。
【００４５】
一方、図１に示す本発明の一実施形態に係るｉＶＤＲ記録再生機器は、ＳＡＦＩＡ対応でないｉＶＤＲにコピーフリーであるコンテンツを記録する場合、ペアリングしてローカル暗号化せずに録画するので、ＳＡＦＩＡ対応でないｉＶＤＲであってもコピーフリーでないコンテンツについては他の機器で再生可能である。
【００４６】
以上、本発明に係る実施形態について説明したが、本発明の範囲はこれに限定されるものではなく、発明の主旨を逸脱しない範囲で種々の変更を加えて実行することができる。
【００４７】
例えば、上述した実施形態では、リムーバブル記録メディアとしてｉＶＤＲを用いているが、本発明はこれに限定されることはない。本発明は、記録メディア固有情報を有するリムーバブル記録メディアへのコンテンツの記録および記録メディア固有情報を有するリムーバブル記録メディアに記録されているコンテンツの再生が可能なコンテンツ記録再生機器全般に適用することができる。
【００４８】
また、例えば、上述した実施形態では、図１に示す本発明の一実施形態に係るｉＶＤＲ記録再生機器の機器固有情報と、ｉＶＤＲスロット６に挿入されているｉＶＤＲ７の記録メディア固有情報とを用いて、ローカル暗号化のための鍵情報及びローカル暗号を復号化するための鍵情報を生成しているが、本発明はこれに限定されることはない。暗号の不正解読をより強固に防止する観点からは、上述した実施形態のように、図１に示す本発明の一実施形態に係るｉＶＤＲ記録再生機器の機器固有情報と、ｉＶＤＲスロット６に挿入されているｉＶＤＲ７の記録メディア固有情報とを用いて、ローカル暗号化のための鍵情報及びローカル暗号を復号化するための鍵情報を生成することが望ましいが、図１に示す本発明の一実施形態に係るｉＶＤＲ記録再生機器の機器固有情報のみを用いて、ローカル暗号化のための鍵情報及びローカル暗号を復号化するための鍵情報を生成する形態であっても構わない。
【符号の説明】
【００４９】
１  チューナ
２、２’  ＳｏＣ部
３  音声出力部
４  映像出力部
５  ＳＡＴＡ部
６  ｉＶＤＲスロット
７  ｉＶＤＲ
【図１】
2011076663.tif 000003
【図２】
2011076663.tif 000004
【図３】
2011076663.tif 000005
【図４】
2011076663.tif 000006
【図５】
2011076663.tif 000007
【図６】
2011076663.tif 000008
【図７】
2011076663.tif 000009
【図８】
2011076663.tif 000010